(57)【要約】【課題】  牛糞を肥料の原料や単なる土壌改良材の原料としてだけでなく、牛糞のもつ特性を生かしてこれを接地抵抗低減材用の原料として活用する方法を提案すること。【解決手段】    本願発明の接地抵抗低減材は、発酵工程と熟成工程を経て生成された牛糞とオガ粉等の添加物からなる牛糞熟成物をロータリキルン等の炭化装置で炭化して得られる粒状又は粉状の牛糞炭化物でもって構成される。  本願発明の地中電流障害防護方法は、上記の接地抵抗低減材を地中電流（迷走電流ともいわれる）に対する被保護体の周囲に埋設してこれを地中電流から地中タンク等の各種地中埋設構造物や、各種建築物あるいは施設内等に設置されているコンピュータ等の電気設備（被保護体）を保護する地中電流障害防護材として使用することを特徴とする。【選択図】        図２
2007103185.tif 000002
【特許請求の範囲】
【請求項１】
発酵工程と熟成工程を経て生成された牛糞とオガ粉等の添加物からなる牛糞熟成物をロータリキルン等の炭化装置で炭化して得られる粒状又は粉状の牛糞炭化物からなる接地抵抗低減材。
【請求項２】
発酵工程と熟成工程を経て生成された牛糞とオガ粉等の添加物からなる牛糞熟成物をロータリキルン等の炭化装置で炭化して得られる粒状又は粉状の牛糞炭化物からなる接地抵抗低減材を地中電流に対する被保護体の周囲に埋設することを特徴とする地中電流障害防護方法。
【発明の詳細な説明】
【技術分野】
【０００１】
本願発明は、牛糞を炭化させることによって得られる牛糞炭化物からなる接地抵抗低減材と、そのような牛糞炭化物からなる接地抵抗低減材を使用して地中電流から建造物内コンピュータ等の被保護体を保護する地中電流障害防護方法に関するものである。
【背景技術】
【０００２】
牛糞を発酵熟成させて堆肥とすることは既に行われているが、毎日発生する牛糞と消費される牛糞堆肥との間には量的なアンバランスがあり、多くの牛を飼育している育牛農家等は毎日発生する牛糞の処理に多大の手間とコストを必要としている。
【０００３】
また、牛糞や鶏糞等の家畜糞を堆肥の原料としてだけでなく、これを炭化することにより燃料として利用したり土壌改良材として利用したりすることも提案されている（たとえば、下記特許文献１）。
【０００４】
【特許文献１】特開平５−２８７２８６号公報
【発明の開示】
【発明が解決しようとする課題】
【０００５】
本願発明者らは、牛糞をめぐる上記のような現状に鑑み、牛糞を肥料の原料や単なる土壌改良材の原料としてだけでなく、牛糞のもつ特性を生かしてこれを接地抵抗低減材用の原料として活用する方法を模索・研究してきた結果、本願発明に到達したものである。
【課題を解決するための手段】
【０００６】
本願発明の接地抵抗低減材は、発酵工程と熟成工程を経て生成された牛糞とオガ粉等の添加物からなる牛糞熟成物をロータリキルン等の炭化装置で炭化して得られる粒状又は粉状の牛糞炭化物でもって構成されることを基本思想とする。
【０００７】
また、本願発明の地中電流障害防護方法は、上記の接地抵抗低減材を地中電流（迷走電流ともいわれる）に対する被保護体の周囲に埋設してこれを地中電流から地中タンク等の各種地中埋設構造物や、各種建築物あるいは施設内等に設置されているコンピュータ等の電気設備（被保護体）を保護する地中電流障害防護材として使用することを特徴とするものである。
【発明の効果】
【０００８】
本願発明の接地抵抗低減材は、その原料である牛糞の特質から主成分の炭素成分以外に導電性を促進するカリウムイオン等の成分が比較的多く、これを地中電流から地中タンク等の各種構造物や、コンピュータ等の電気設備（被保護体）を保護する地中電流障害防護材として使用すれば安価なコストで地中電流対策を行うことができる効果がある。
【発明を実施するための最良の形態】
【０００９】
続いて本願発明の好適な実施例を説明するにあたり、先ず図１を参照して従来から一般的に行われている牛糞堆肥の製造工程例について説明すると、図１において符号１は牛床、２は（横型）ロータリー式発酵槽、３は堆肥化装置であり、牛床１で堆積される牛床堆積物は、トラック等の牛糞収集運搬車で牛糞処理場まで運ばれ、そこに設けられているロータリー式発酵槽２で約３０日〜５０日かけて発酵させられる（このロータリー式発酵槽２では送風機２Ａで送風しながらロータリー式発酵機２Ｂで搬入物の撹拌が行われ、７０℃〜８０℃の温度で発酵させられる）。
【００１０】
このロータリー式発酵槽２での牛糞発酵工程が終了すると、同ロータリー式発酵槽２で生成した牛糞発酵物は、通常同一牛糞処理場内に設けられている堆肥化装置３に搬入される。この堆肥化装置３では、堆肥化装置（ホイルローダ）３Ａにてブローをしながら約４０日〜９０日間かけて完熟堆肥とする。その間に２回ほどきり返しを行う（熟成工程）。この熟成工程を終了するころには牛糞熟成物３Ｃの水分率は５０％程度となる。この堆肥化装置３で生成した牛糞熟成物（完熟堆肥）は、その一部が商品（牛糞堆肥）４として出荷される一方、他の部分は戻し堆肥５として再度、牛床１中に還元されるようになっている（従来の場合）。
【００１１】
牛床１では、この戻し堆肥５とオガ粉（モミガラで代用することもある）とが混合される。この場合一般的には、重量比で戻し堆肥７５％に対してオガ粉２５％程度の割合とされており、そのときの水分率は３０％程度となる。
【００１２】
本願発明では、従来の牛糞堆肥化設備においては、全量が戻し堆肥５として牛床１側へ還元されていたものの一部を牛糞炭化物用原料６として転用し、これをロータリキルン等の炭化装置７で炭化させて得た粒状又は粉状の牛糞炭化物８を地中電流障害防止のための接地抵抗低減材として利用しようとするものである。
【００１３】
上記牛糞炭化装置は、原料（牛糞堆肥）６を８００〜９００℃で燃焼（自燃）させ、原料（牛糞堆肥）中の繊維成分（主として、牛糞中の繊維成分及びオガ粉）を炭化させるものである。
【００１４】
この牛糞炭化物は、粒状又は粉状に加工されて本願発明の接地抵抗低減材及び地中電流障害防護方法のための材料として使用される。
【００１５】
次に、図２ないし図４を参照して本願発明の地中電流障害防護方法のいくつかの実施例を説明する。
【００１６】
図２は、コンピュータ等の重要電気設備（被保護体）を収容した各種建造物又は施設に対して本願発明の地中電流障害防護方法を実施する場合の説明図で、図２において符号１０は、コンピュータ等の重要電気設備１１を内部に設置している建造物であり、この建造物１０は、敷地１２を掘削して形成した基礎構造体１３上に建設されている。この図２の実施例では、この建造物１０の地中部分の周囲を本願発明の牛糞炭化物からなる接地抵抗低減材の層１４で囲繞して地中を迷走する地中電流Ａが建造物１０内に侵入しないようにしている。接地抵抗低減材層１４の中に腐食に強い金属（例えばチタン等）１６を埋め、その一端はアース棒１７を通して地中深く電気的に接地する。これにより、地中表面に流れる迷走電流は建物に侵入する前に接地抵抗低減材層１４を通じて地中内部に流れ、建造物内の電気設備等は雷等の迷走電流より保護される。
【００１７】
図３及び図４は、水道管やガス管等の大口径地中埋設管やその他の地中埋設構造物に対する本願発明の実施例としての地中電流障害防護方法例を示しており、図３においては、電車２０が走行する鉄道線路１８の地下に同線路下を横断して水道管やガス管等の大口径の地中埋設管２１が埋設されている状態が示されている。このような場合、この地中埋設管２１は電車用の送電線２６からパンタグラフ２０Ａを通して電車２０に供給される電流が地中に漏洩して地中埋設管２１等の地中埋設構造物を腐蝕（いわゆる、電蝕現象）させることがあるが、この実施例では、本願発明の地中電流障害防護方法を適用して、電車２０からの漏洩電流により電蝕を受け易いと考えられる一定の長さ（Ｌ）について、地中の埋設管２１の周囲を牛糞炭化物から成る接地抵抗低減材で囲繞し、その層２４の中に、腐食に強い金属（例えばチタン等）２６を埋め、その一端はアース棒２７を通して地中深く電気的に接地する。この場合、電車２０からの漏洩電流は地中の埋設管２１に達する前に接地抵抗低減材層２４を通じて地中内部に流れ、埋設管２１に電飾現象が発生することを防止することができる。
【図面の簡単な説明】
【００１８】
【図１】本願発明の実施例にかかる牛糞炭化物からなる接地抵抗低減材の製造方法の説明図である。
【図２】本願発明の一実施例にかかる地中電流障害防護方法の説明図である。
【図３】本願発明の他の実施例にかかる地中電流障害防護方法の説明図である。
【図４】図３におけるＩＶ−ＩＶ断面図である。
【符号の説明】
【００１９】
１は牛床、２はロータリー式発酵槽、３は堆肥化装置、４は牛糞堆肥、５は戻し堆肥、７は牛糞炭化装置、８は牛糞炭化物、１０は建造物、１１はコンピュータ、１２は敷地、１３は基礎構造体、１４，２４は牛糞炭化物からなる接地抵抗低減材、１６，２６は金属材、１７，２７はアース棒である。
【図１】
2007103185.tif 000003
【図２】
2007103185.tif 000004
【図３】
2007103185.tif 000005
【図４】
2007103185.tif 000006